(57)【特許請求の範囲】
【請求項１】
チップと、このチップが取付けられるバレルと、このバレルに取付けられ後部に細径部、及びこの細径部の円周方向に開設する係止窓を有する前シャフトと、この前シャフトの細径部の中空室に挿入される首部を備え本体、及びこの本体の首部に設け、かつ前記係止窓と前記中空部の連設部に設けた段付き部に係止される立上面を備えた係止片を備えてなる可撓性の中子と、この中子の鰭片を取込む空洞部を備え、かつ前記前シャフトの細径部に取付けられる後シャフトと、この後シャフトの後部に設けた複数のスリットを備えた差込み部と、この差込み部のスリットに差込まれる複数枚の羽根と、で構成したダーツ。
【請求項２】
請求項１に記載のダーツであって、
前記差込み部の複数のスリットは、前記中子の基部に設けた複数のスリットと整合して複数の整合スリット部を形成し、この複数の整合スリット部には、前記複数の羽根の基端の差込み舌片が差込み支持される構成としたダーツ。
【請求項３】
請求項１に記載のダーツであって、
前記後シャフトの先端に設けた複数のスリットには、羽根の基端に設けた複数の差込み舌片が挿入される構成としたダーツ。
【請求項４】
請求項１に記載のダーツであって、
前記前シャフトの長手方向に、突条か、窪み条のガイド部を設ける構成としたダーツ。
【発明の詳細な説明】
【技術分野】
【０００１】
本発明は、シャフトを、前後シャフトの分割形式とし、この後シャフトを、羽根とともに回転する新規なダーツに関する。
【背景技術】
【０００２】
近時、手軽で、比較的狭い場所で楽しめるダーツ（手投げの矢で、的との組合せスポーツ）が、家庭、職場、娯楽施設等で人気を博すようになりつつある。そして、スポーツとして愛用され、かつオリンピックの種目一つとして、エントリーされるような状況であり、スポーツとしての感覚が一般化している。従って、これに関する文献も見当たるので、関連する発明等を、数件、概述する。
【０００３】
文献（１）は、特許第４３５０１５４号の「ダーツ」であり、この発明は、シャフトに設けたフライトが、この両者間に設けた凹凸関係を利用し、回転可能とする構造であり、的に当たっているフライトの羽根に、後のダーツの羽根が衝止及び／又はその瞬間に、フライトが回転し、羽根相互間の衝突回避と、ダーツへの衝撃緩和（破損回避）、並びにダーツの落下防止等を図る。
【０００４】
文献（２）は、特開２００９−２１３５８６の「ダーツ及びダーツ遊技装置」であり、この発明は、バレルとシャフトに光ファイバーを設け、先端のチップに入力した光を、前記光ファイバーを介して、導光体で形成したフライトに伝達し、このフライトを発光させる構造であり、ダーツを色と光度調整を図り、装飾効果と、暗闇でのゲームを可能とする。
【０００５】
文献（３）は、ＷＯ２００７／９８３の「ダーツチップ、ダーツシャフト、ダーツ」であり、この発明は、チップの長手方向で、かつその周面に複数の溝を設けるとともに、このチップの先端形状を異形とする。また、必要により、ダーツの一部に可撓性部材を組入れる構造であり、ボードの損傷防止と、易抜け性を確保すること、或いは、次のダーツによる衝撃緩和を意図する。
【０００６】
【特許文献１】特許第４３５０１５４号
【特許文献２】特開２００９−２１３５８６
【特許文献３】ＷＯ２００７／９８３
【発明の概要】
【発明が解決しようとする課題】
【０００７】
文献（１）は、フライトが回転することで、的に当たる際の羽根の衝突回避が図れる。しかし、この文献（１）は、フライトがシャフトの凹凸関係で回転する構造であり、フライトは、僅かな衝撃で回り、不都合が発生することが考えられる。そして、また、この回りを規制することができないので、回りすぎの問題と、風の影響を受け易く、競技の公平性に欠けること、等の改良点が考えられる。
【０００８】
また、文献（２）は、発光による装飾効果を意図する発明であり、フライトの回転に関する技術が開示されていない。従って、的に当たっている前のダーツと、後のダーツとの関係に関する問題点を抱えている。
【０００９】
さらに、文献（３）は、ダーツの一部に可撓性部材を組入れることで、次のダーツによる衝撃緩和を意図する。そして、この発明は、後のダーツが、前のダーツに衝突時において、前のダーツが撓むことで、両ダーツの衝撃緩和を図る。しかし、衝突後の撓みと、羽根の逃げにおいて、時間的なロスがあり、衝突緩和は十分とは云えず、改良の余地がある。
【課題を解決するための手段】
【００１０】
請求項１の発明は、前後シャフトに設けた中子を仲介として、羽根（フライト）を回転可能とする構造であり、後のダーツが、前のダーツに衝突時の瞬時を捉まえて、この前後のダーツの羽根を回転可能とすること（両ダーツの逃げを確保する）で、両ダーツの衝撃緩和を図り、かつ前のダーツの落下防止と、後のダーツが的に当たること（挿入、差込み、係止等により止ること）、等を意図する。そして、また、請求項１の発明は、挿入される（隠れた）中子の係止片で、前後シャフトを係止するとともに、この後シャフトを介して、羽根を回転する構造であり、羽根が妄りに回転せず、適当な衝突衝撃力（反力）で、スムーズに回転可能とする。更に、請求項１の発明は、係止窓の開口長さで、中子と後シャフトが回転する構造として、羽根の回転範囲を規定し（回転方向を選択、かつ利用することで）、ダーツの技術の向上を図ることを意図する。また、請求項１の発明は、中子の挿入時において、首部が撓むことで、前シャフトの細径部の内周壁を、係止片が滑るようにして、スムーズな挿入を図ること、その後、係止窓に到ると、反撥して、その係止片の立上面が、段付き部に係止すること、等を意図する。
【００１１】
請求項１は、チップと、このチップが取付けられるバレルと、このバレルに取付けられ後部に細径部、及びこの細径部の円周方向に開設する係止窓を有する前シャフトと、この前シャフトの細径部の中空室に挿入される首部を備え本体、及びこの本体の首部に設け、かつ前記係止窓と前記中空部の連設部に設けた段付き部に係止される立上面を備えた係止片を備えてなる可撓性の中子と、この中子の鰭片を取込む空洞部を備え、かつ前記前シャフトの細径部に取付けられる後シャフトと、この後シャフトの後部に設けた複数のスリットを備えた差込み部と、この差込み部のスリットに差込まれる複数枚の羽根と、で構成したダーツである。
【００１４】
請求項２の発明は、請求項１の意図する特徴を達成し、しかも、後シャフトの差込み部のスリットと、中子のスリットとが整合し、羽根基端差込用の整合スリットを形成することを意図する。
【００１５】
請求項２は、請求項１に記載のダーツであって、
前記差込み部の複数のスリットは、前記中子の基部に設けた複数のスリットと整合して複数の整合スリット部を形成し、この複数の整合スリット部には、前記複数の羽根の基端の差込み舌片が差込み支持される構成としたダーツである。
【００１６】
請求項３の発明は、請求項１の意図する特徴を達成し、しかも、後シャフトに、羽根の基端を係止し、この両者が一体に可動することを意図する。
【００１７】
請求項３は、請求項１に記載のダーツであって、
前記後シャフトの先端に設けた複数のスリットには、羽根の基端に設けた複数の差込み舌片が挿入される構成としたダーツである。
【００１８】
請求項４の発明は、請求項１の意図する特徴を達成し、しかも、前シャフトに、ガイド部を設け、ダーツの操作の容易化を図ることを意図する。
【００１９】
請求項４は、請求項１に記載のダーツであって、
前記前シャフトの長手方向に、突条か、窪み条のガイド部を設ける構成としたダーツである。
【発明の効果】
【００２０】
請求項１の発明は、チップと、チップが取付けられるバレルと、バレルに取付けられ後部に細径部、及び細径部の円周方向に開設する係止窓を有する前シャフトと、前シャフトの細径部の中空室に挿入される首部を備え本体、及び本体の首部に設け、かつ係止窓と中空部の連設部に設けた段付き部に係止される立上面を備えた係止片を備えてなる可撓性の中子と、中子の鰭片を取込む空洞部を備え、かつ前シャフトの細径部に取付けられる後シャフトと、後シャフトの後部に設けた複数のスリットを備えた差込み部と、差込み部のスリットに差込まれる複数枚の羽根と、で構成したダーツである。
【００２１】
従って、請求項１は、下記の特徴がある。
【００２２】
請求項１は、前後シャフトに設けた中子を仲介として、羽根（フライト）を回転可能とする構造であり、後のダーツが、前のダーツに衝突時の瞬時を捉まえて、この前後のダーツの羽根を回転可能とすること（両ダーツの逃げを確保する）で、両ダーツの衝撃緩和を図り、かつ前のダーツの落下防止と、後のダーツが的に当たること（挿入、差込み、係止等により止ること）、等にある。
【００２３】
また、請求項１は、挿入される（隠れた）中子の係止片で、前後シャフトを係止するとともに、この後シャフトを介して、羽根を回転する構造であり、羽根が妄りに回転せず、適当な衝突衝撃力（反力）で、スムーズに回転可能となる。
【００２４】
更に、請求項１は、係止窓の開口長さで、中子と後シャフトが回転する構造として、羽根の回転範囲を規定し（回転方向を選択、かつ利用することで）、ダーツの技術の向上が図れる。
【００２５】
また、請求項１は、中子の挿入時において、首部が撓むことで、前シャフトの細径部の内周壁を、係止片が滑るようにして、スムーズな挿入が図れること、その後、係止窓に到ると、反撥して、その係止片の立上面が、段付き部に係止できること、等の特徴がある。
【００２６】
請求項２の発明は、請求項１に記載のダーツであって、
差込み部の複数のスリットは、中子の基部に設けた複数のスリットと整合して複数の整合スリット部を形成し、複数の整合スリット部には、複数の羽根の基端の差込み舌片が差込み支持される構成としたダーツである。
【００２７】
従って、請求項２は、請求項１の意図する特徴を達成できること、しかも、後シャフトの差込み部のスリットと、中子のスリットとが整合し、羽根基端差込用の整合スリットを形成できること、等の特徴を有する。
【００２８】
請求項３の発明は、請求項１に記載のダーツであって、
前記後シャフトの先端に設けた複数のスリットには、羽根の基端に設けた複数の差込み舌片が挿入される構成としたダーツである。
【００２９】
従って、請求項３は、請求項１の意図する特徴を達成できること、しかも、後シャフトに、羽根の基端を係止し、この両者が一体に可動できること、等の特徴を有する。
【００３０】
請求項４の発明は、請求項１に記載のダーツであって、
前シャフトの長手方向に、突条か、窪み条のガイド部を設ける構成としたダーツである。
【００３１】
従って、請求項４は、請求項１の意図する特徴を達成できること、しかも、前シャフトに、ガイド部を設け、ダーツの操作の容易化が図れること、等の特徴を有する。
【図面の簡単な説明】
【００３２】
【図１】ダーツの全体の縮尺斜視図
【図２】図１を分解して示した縮尺斜視図
【図３】ダーツのシャフトと中子、並びに羽根（フライト）の要部を断面視した正面図
【図４】ダーツのシャフトと中子の一部を示し、かつその要部を断面視した正面図
【図５−１】ダーツの前シャフトの正面図
【図５−２】ダーツの前シャフトの右側面図
【図５−３】ダーツの前シャフトの左側面図
【図６−１】ダーツの後シャフトの正面図
【図６−２】ダーツの後シャフトの右側面図
【図６−３】ダーツの後シャフトの左側面図
【図７−１】ダーツの中子の正面図
【図７−２】ダーツの中子の右側面図
【図７−３】ダーツの中子の左側面図
【図８】ダーツの使用状態を示した模式図
【図９】ダーツの的を示した拡大斜視図
【発明を実施するための形態】
【００３３】
図中１はダーツで、このダーツ１は、チップ２と、このチップ２が取付けられる筒状のバレル３と、このバレル３に取付けられる前シャフト５と、この前シャフト５に挿設される中子６と、この中子６を抱込み、前記前シャフト５に取付けられる後シャフト７と、この後シャフト７に取付けられる羽根８（フライト）を主構成とする。
【００３４】
以下、各パーツを個別に説明する。
【００３５】
チップ２は、先部（先端）に針形状の突起２００を備えた金属製か、樹脂製でなる（以下、パーツは同じとする）コーン形状の本体２０１と、この本体２０１の後部（後端）に、この本体２０１より細径でなる螺子部２０２を有する構造であり、この突起２００が的Ａの孔Ａ１に係止される。
【００３６】
また、バレル３は、先部に螺嵌部３００を備えた筒状の本体３０１と、この本体３０１の後部に設けた螺嵌部３０２を有する構造であり、この螺嵌部３００には、前記チップ２の螺子部２０２が螺合（螺嵌）される。また、螺嵌部３０２には、前シャフト５の螺子部５００が螺合される。
【００３７】
さらに、前シャフト５は、先部に螺子部５００を備えた筒状の本体５０１と、この本体５０１の後部には係止窓５０２を円周方向（円周の略１／２）に開設するとともに、この係止窓５０２が連通する空洞部５０３（中空室）を軸方向に開設する構造であり、この空洞部５０３の外周面は、本体５０１より細径部５０１ａとする。また、この本体５０１の上面には、ガイド片５０４（ガイド部）が膨出形成されている。このガイド片５０４は、ダーツ１の操作の容易化と、方向性の確保、又は指導・学習の容易性、並びに初期時の学習の簡便化、等に役立てる。尚、前記係止窓５０２と空洞部５０３の連繋部には、段付き部５０５を形成する。そして、係止窓５０２を、円周方向の略１／２とすることで、羽根８の回転範囲として十分な領域となり、かつ羽根８の衝突時の逃げとしての許容範囲となる。
【００３８】
そして、中子６は、先部に設けた細径でなる首部６００と、この首部６００の先端に設けた鍵形の係止片６０１（係止突起）と、この首部６００を先部に備えた筒状の本体６０２と、この本体６０２の後部（基部）に設けたスリット６０３を長手方向に設けた鰭片６０４と有する構造であり、この係止片６０１は、中子６の首部６００を、前シャフト５の空洞部５０３に挿入した際に、係止窓５０２に挿入されるとともに、その段付き部５０５に係止され、妄りに離脱することがない。そして、この挿入時において、首部６００が撓むことで、細径部５０１ａの内周壁を、係止片６０１が滑るようにして、スムーズに挿入される。その後、係止窓５０２に到ると、反撥して、その係止片６０１の立上面６０１ａが、段付き部５０５に係止される。
【００３９】
また、後シャフト７は、先部に前記前シャフト５の細径部５０１ａに套嵌される第一空洞部７００ａと、この第一空洞部７００ａに連通され後側に開設した前記中子６の鰭片６０４が挿入される第二空洞部７００ｂを有する本体７０１と、この本体７０１の後部に設けた複数枚の羽根８の基端が差込まれる差込み部７０２と、差込み部に設けた複数枚の羽根が差込まれる複数のスリット７０３とで構成されており、この後シャフト７を、前シャフト５に挿入された中子６を套嵌するようにして、その第一空洞部７００ａを套嵌すると、この第一空洞部７００ａは、前シャフト５の細径部５０１ａに套嵌されるとともに、その第二空洞部７００ｂは、中子６の鰭片６０４に套嵌される。この後シャフト７は、第一空洞部７００ａと、第二空洞部７００ｂのそれぞれの套嵌で、前シャフト５と中子６に、取付けられる。この中子６と、係止窓５０２は、完全に後シャフト７で隠蔽されるとともに、この中子６の係止片６０１が係止窓５０２より離脱することがない。そして、この後シャフト７は、中子６の回転を利用し（媒体とし）、係止窓５０２の開設長さ分、回転する構造である。
【００４０】
尚、羽根８は、筒状の本体８００と、この本体８００の先部に設けた差込み舌片８０１と、その後部に設けた複数枚の羽根本体８０２とで構成されており、この差込み舌片８０１を、後シャフト７のスリット７０３に差込むことで、この羽根８は、後シャフト７（バレル３と、前シャフト５、中子６）に支持されることで、ダーツ１を構成する。尚、差込み舌片８０１は中子６のスリット６０３にも差込むことで、この羽根８と、前シャフト５、中子６との連繋一体化が図れること、前記中子６に付与された回転を、羽根８の回転に転換することが可能となる。また、中子６のスリット６０３と、後シャフト７のスリット７０３を整合し、この整合スリット部に、前記差込み舌片８０１を差込み支持することで、前記連繋一体化を確実なものとする。また、この羽根８は、差込み舌片８０１を備えることから、在来のシャフト（図示しない）であって、スリットを備えた構造であれば、使用可能であり重宝することと、好みのダーツ（図示しない）を構成できる。
【００４１】
そして、この各パーツの原則として、分解しないが、破損、又は嗜好の面から取り替える可能であり、例えば、羽根８の差込み舌片８０１を整合スリットより引抜き、この羽根８を離脱すると、後シャフト７は、中子６より離脱可能となり、この後シャフト７を引抜く。そして、中子６が露出するので、係止片６０１を押下げ（首部６００を撓ませて）、係止窓５０２から係脱する。この係脱を介して、中子６を離脱することができる。その後は、前シャフト５を回転し、螺子部５００を、バレル３の螺嵌部３０２より螺戻することで、この前シャフト５の取外しができる。また、このバレル３（チップ２）の取外しは、このバレル３を回転し（チップ２でも同じ）、チップ２の螺子部２０２を、バレル３の螺嵌部３００より螺戻することで、このバレル３（チップ２）の取外しができる。以上の操作で、各パーツは分解でき、それぞれ取り替えは自由である。
【００４２】
そして、的Ａの孔Ａ１に、前のダーツ１が係止された状態で、後のダーツ１が近接して投げられた状態では、前のダーツ１の羽根８が回転し、後のダーツ１の羽根との衝突回避が図れることで、例えば、前のダーツ１が、的Ａより離脱すること、又は後のダーツ１が係止されない状況を回避できる等の特徴がある。また、ダーツ１を投げる際の、羽根８の動きと、投げる方向の変化を楽しめること、等競技の楽しみを満喫できる。
【符号の説明】
【００４３】
１              ダーツ
２              チップ
２００          突起
２０１          本体
２０２          螺子部
３              バレル
３００          螺嵌部
３０１          本体
３０２          螺嵌部
５              前シャフト
５００          螺子部
５０１          本体
５０１ａ        細径部
５０２          係止窓
５０３          空洞部
５０４          ガイド片
５０５          段付き部
６              中子
６００          首部
６０１          係止片
６０１ａ        立上面
６０２          本体
６０３          スリット
６０４          鰭片
７              後シャフト
７００ａ        第一空洞部
７００ｂ        第二空洞部
７０１          本体
７０２          差込み部
７０３          スリット
８              羽根
８００          本体
８０１          差込み舌片
８０２          羽根本体
Ａ              的
Ａ１            孔
【図１】
0005432785.tif 000002
【図２】
0005432785.tif 000003
【図３】
0005432785.tif 000004
【図４】
0005432785.tif 000005
【図５−１】
0005432785.tif 000006
【図５−２】
0005432785.tif 000007
【図５−３】
0005432785.tif 000008
【図６−１】
0005432785.tif 000009
【図６−２】
0005432785.tif 000010
【図６−３】
0005432785.tif 000011
【図７−１】
0005432785.tif 000012
【図７−２】
0005432785.tif 000013
【図７−３】
0005432785.tif 000014
【図８】
0005432785.tif 000015
【図９】
0005432785.tif 000016